(57)【要約】      （修正有）【課題】より装飾性を高めることができる電飾パネルを提供する。【解決手段】電飾パネルは、アルミニウム製の柱状部材１１Ａをジョイント部材で接続した外形が四角形状の枠体と、枠体の裏面側に設けられた反射板１２と、枠体の内側面に設けられたＬＥＤテープ１３と、枠体の表面側に設けられ、枠体に固定された基部材１４Ａと、基部材１４Ａに対し蝶番式に回動自在とされた押え部材１４Ｂとを有する、開閉式の額縁と、額縁に配設されたマジックミラー板１５とを備えている。ＬＥＤテープ１３からの光が反射板１２とマジックミラー板１５とで反射を繰り返し、光の枠が奥に向かって何重にも続いて奥行きがあるように見える。【選択図】図２
0003212545.tif 000002
【実用新案登録請求の範囲】
【請求項１】
アルミニウム製の柱状部材をジョイント部材で接続した外形が四角形状の枠体と、
この枠体の裏面側に設けられた反射板と、
前記枠体の内側面に設けられ、テープに複数のＬＥＤ発光素子が間隔をあけて配置されたＬＥＤテープと、
前記枠体の表面側に設けられた開閉式の額縁と、
この額縁に配設されたマジックミラー板と
を備えたことを特徴とする電飾パネル。
【請求項２】
前記反射板は、発泡スチロールよりなる薄板の少なくとも片面にアルミニウム膜が形成されたアルミ複合板により構成されたことを特徴とする請求項１記載の電飾パネル。
【請求項３】
前記額縁に配設され、前記マジックミラー板との間にポスターを挟持することができるように、前記マジックミラー板の表面側に重ねて配置された透明な挟持板を備えたことを特徴とする請求項１又は請求項２記載の電飾パネル。
【請求項４】
前記ＬＥＤテープは前記枠体の角部において前記テープが切り離され、配線で接続されたことを特徴とする請求項１から請求項３のいずれか１に記載の電飾パネル。
【請求項５】
前記マジックミラー板の裏面側に、乳白色のアクリル板よりなる装飾板が配設されたことを特徴とする請求項１から請求項４のいずれか１に記載の電飾パネル。
【考案の詳細な説明】
【技術分野】
【０００１】
本考案は、テープに複数のＬＥＤ発光素子が間隔をあけて配置されたＬＥＤテープを用いた電飾パネルに関する。
【背景技術】
【０００２】
発光体を内蔵する電飾パネルは、装飾体や広告媒体として有用であり、様々なものが用いられている。近年においては、ＬＥＤ発光素子が安価となったので、ＬＥＤ発光素子を用いたものが提案されている。例えば、特許文献１には、ＬＥＤテープ体を照射方向を外向きにして周回させた基台と、その周縁を取り囲む透明体とを有する電飾パネルが記載されている。この電飾パネルによれば、パネルの周縁部を光で縁取ることができるが、更に装飾性を高めることができれば、用途が広がり好ましい。
【先行技術文献】
【特許文献】
【０００３】
【特許文献１】特開２０１６−８５２６７号公報
【考案の概要】
【考案が解決しようとする課題】
【０００４】
本考案は、このような問題に基づきなされたものであり、より装飾性を高めることができる電飾パネルを提供することを目的とする。
【課題を解決するための手段】
【０００５】
本考案の電飾パネルは、アルミニウム製の柱状部材をジョイント部材で接続した外形が四角形状の枠体と、この枠体の裏面側に設けられた反射板と、枠体の内側面に設けられ、テープに複数のＬＥＤ発光素子が間隔をあけて配置されたＬＥＤテープと、枠体の表面側に設けられた開閉式の額縁と、この額縁に配設されたマジックミラー板とを備えたものである。
【考案の効果】
【０００６】
本考案の電飾パネルによれば、枠体の裏面側に反射板、表面側にマジックミラー板を設け、枠体の内側面にＬＥＤテープを設けるようにしたので、ＬＥＤ発光素子の光が反射板とマジックミラー板とで反射を繰り返し、光の枠が奥に向かって何重にも続き、奥行きがあるように見せることができる。また、枠体をアルミニウムにより構成するようにしたので、放熱性を高めることができ、長時間連続使用をしても安定して動作させることができる。
【０００７】
更に、反射板を発泡スチロールよりなる薄板の少なくとも片面にアルミニウム膜が形成されたアルミ複合板により構成するようにすれば、軽量化することができ、取り扱いを容易とすることができる。
【０００８】
加えて、マジックミラー板の表面側に挟持板を重ねて配置し、マジックミラー板と挟持板との間にポスターを挟持することができるようにすれば、ポスターの周りを光の輪で何重にも囲むことができ、効果的に表示することができる。
【０００９】
更にまた、ＬＥＤテープを枠体の角部において切り離し、配線で接続するようにすれば、角部においてＬＥＤテープが縒れて断線してしまうことを防止することができる。
【００１０】
加えてまた、マジックミラー板の裏面側に、乳白色のアクリル板よりなる装飾板を設けるようにすれば、装飾板についても複数重ねて表示させることができる。
【図面の簡単な説明】
【００１１】
【図１】本考案の一実施の形態に係る電飾パネルの構成を表す図である。
【図２】図１に示した電飾パネルの断面構成を表す図である。
【図３】図２の一部を拡大して表す図である。
【図４】図１に示した電飾パネルの変形例を表す図である。
【図５】図１に示した電飾パネルの他の変形例を表す図である。
【考案を実施するための形態】
【００１２】
以下、本考案の実施の形態について、図面を参照して詳細に説明する。
【００１３】
図１は、本考案の一実施の形態に係る電飾パネル１０の構成を表わすものであり、（Ａ）は表面側から見た外観構成を表わし、（Ｂ）は側面から見た外観構成を表わしている。図２は、電飾パネル１０の断面構成を表すものである。この電飾パネル１０は、枠体１１と、枠体１１の裏面側に設けられた反射板１２と、枠体１１の内側面に設けられたＬＥＤテープ１３と、枠体１１の表面側に設けられた開閉式の額縁１４と、額縁１４に配設されたマジックミラー板１５とを備えている。これにより、ＬＥＤテープ１３からの光が反射板１２とマジックミラー板１５とで反射を繰り返し、光の枠が奥に向かって何重にも続いて奥行きがあるように見せることができるようになっている。
【００１４】
枠体１１は、外形が四角形状であり、アルミニウム製の４本の柱状部材１１Ａを四角形になるように並べ、柱状部材１１Ａの端部すなわち角部を４個のジョイント部材１１Ｂで順に接続した構成を有している。アルミニウム製の柱状部材１１Ａを用いることにより、放熱性を高めると共に、軽量化することができるからである。柱状部材１１Ａは、例えば、角柱状であることが好ましい。ジョイント部材１１Ｂは、例えば、プラスチックにより構成されている。
【００１５】
反射板１２は、例えば、枠体１１の大きさに対応した四角形状であり、反射板１２の周縁部を枠体１１に当接させて配設されている。反射板１２は、光を反射することができればどのようなものでもよいが、例えば、発泡スチロールよりなる薄板の少なくとも片面にアルミニウム膜が形成されたアルミ複合板により構成することが好ましい。軽量化することができるからである。反射板１２は、例えば、反射面を枠体１１の側、すなわち、表面側にして配設されることが好ましい。
【００１６】
ＬＥＤテープ１３は、テープ１３Ａに複数のＬＥＤ発光素子１３Ｂが間隔をあけて配置されたものである。ＬＥＤテープ１３は、枠体１１の角部においてテープ１３Ａが切り離され、配線１３Ｃで接続されていることが好ましい。角部においてＬＥＤテープ１３が縒れて断線してしまうことを防止するためである。
【００１７】
額縁１４は、枠体１１に固定された基部材１４Ａと、この基部材１４Ａに対し蝶番式に回動自在とされた押え部材１４Ｂとを有しており、押え部材１４Ｂを開閉させ、基部材１４Ａと押え部材１４Ｂとの間にマジックミラー板１５を保持するようになっている。押え部材１４Ｂは、例えば、枠体１１の各辺に対応して４つ設けられている。各押え部材１４Ｂの間には、枠体１１の角部に対応してコーナー部材１４Ｃが設けられている。
【００１８】
マジックミラー板１５は、入射した光の一部を反射し、一部を透過させるものである。マジックミラー板１５は、例えば、透明なアクリル板に薄い反射膜を形成し、半透明にしたものが好ましく、透明なアクリル板にマジックミラーフィルムを貼ることにより得ることができる。マジックミラー板１５は、反射面を枠体１１の側、すなわち、裏面側にして配設されることが好ましい。
【００１９】
なお、図４に示したように、マジックミラー板１５には、例えば、裏面側に乳白色のアクリル板よりなる装飾板１６を配設するようにしてもよい。装飾板１６についても複数重ねて表示させることができるからである。
【００２０】
また、図５に示したように、額縁１４には、マジックミラー板１５との間にポスターを挟持することができるように、マジックミラー板１５の表面側に挟持板１７を重ねて配置するようにしてもよい。ポスターの周りを光の枠で何重にも囲み、効果的に表示することができるからである。
【００２１】
この電飾パネル１０は、例えば、ＬＥＤテープ１３に通電をし、ＬＥＤ発光素子１３Ｂを発光させて用いる。ＬＥＤ発光素子１３Ｂの光は、反射板１２とマジックミラー板１５とで反射を繰り返し、一部がマジックミラー板１５を透過する。これにより、光の枠が奥に向かって何重にも続いて奥行きがあるように見える。
【００２２】
このように本実施の形態によれば、枠体１１の裏面側に反射板１２、表面側にマジックミラー板１５を設け、枠体１１の内側面にＬＥＤテープ１３を設けるようにしたので、ＬＥＤ発光素子１３Ｂの光が反射板１２とマジックミラー板１５とで反射を繰り返し、光の枠が奥に向かって何重にも続き、奥行きがあるように見せることができる。また、枠体１１の柱状部材１１Ａをアルミニウムにより構成するようにしたので、放熱性を高めることができ、長時間連続使用をしても安定して動作させることができる。
【００２３】
更に、反射板１２を発泡スチロールよりなる薄板の少なくとも片面にアルミニウム膜が形成されたアルミ複合板により構成するようにすれば、軽量化することができ、取り扱いを容易とすることができる。
【００２４】
加えて、マジックミラー板１５の表面側に挟持板を重ねて配置し、マジックミラー板１５と挟持板１７との間にポスターを挟持することができるようにすれば、ポスターの周りを光の輪で何重にも囲むことができ、効果的に表示することができる。
【００２５】
更にまた、ＬＥＤテープ１３を枠体１１の角部において切り離し、配線１３Ｃで接続するようにすれば、角部においてＬＥＤテープ１３が縒れて断線してしまうことを防止することができる。
【００２６】
加えてまた、マジックミラー板１５の裏面側に、乳白色のアクリル板よりなる装飾板１６を設けるようにすれば、装飾板１６についても複数重ねて表示させることができる。
【００２７】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００２８】
１０…電飾パネル、１１…枠体、１１Ａ…柱状部材、１１Ｂ…ジョイント部材、１２…反射板、１３…ＬＥＤテープ、１３Ａ…テープ、１３Ｂ…ＬＥＤ発光素子、１３Ｃ…配線、１４…額縁、１４Ａ…基部材、１４Ｂ…押え部材、１４Ｃ…コーナー部材、１５…マジックミラー板、１６…装飾板、１７…挟持板
【図１】
0003212545.tif 000003
【図２】
0003212545.tif 000004
【図３】
0003212545.tif 000005
【図４】
0003212545.tif 000006
【図５】
0003212545.tif 000007